(57)【要約】【課題】カバーの開放を要するメンテナンス作業の負担を抑制することができる照明装置を提供することを目的としている。【解決手段】光源部と、枠状部材を有し、枠状部材の内側に光源部が配置されている照明器具と、枠状部材の内側に設けられ、光源部を収容し、光が透過するカバーと、を備え、カバーは、照明器具に回動自在に保持されている。【選択図】図１
2019053903.tif 000002
【特許請求の範囲】
【請求項１】
光源部と、
枠状部材を有し、前記枠状部材の内側に前記光源部が配置されている照明器具と、
前記枠状部材の内側に設けられ、前記光源部を収容し、光が透過するカバーと、
を備え、
前記カバーは、前記照明器具に回動自在に保持されている
照明装置。
【請求項２】
前記枠状部材は、互いに平行な一対の第１側面部を有し、
前記カバーは、互いに平行な一対の面部を有し、
各前記面部には、前記カバーが回動するときの軸となる軸部材が設けられ、
前記照明器具は、各前記第１側面部に設けられ、前記カバーが回動するときに各前記軸部材を保持する受部を有している
請求項１に記載の照明装置。
【請求項３】
前記枠状部材は、前記一対の第１側面部及び互いに平行な一対の第２側面部を有する矩形状の枠体であり、
各前記受部には、前記軸部材が挿入されるスリット部が形成され、
各前記受部の各前記スリット部は、上下に延びている第１スリットを有している
請求項２に記載の照明装置。
【請求項４】
各前記軸部材が各前記第１スリットの上端に位置しているときにおいて、前記カバーは、前記一対の第２側面部の間に配置されており、
各前記軸部材が各前記第１スリットの下端に位置しているときにおいて、前記カバーは、前記一対の第２側面部よりも下側に配置されている
請求項３に記載の照明装置。
【請求項５】
各前記受部の各前記スリット部は、水平方向に延びており、前記第１スリットの下端に繋がっている第２スリットを有している
請求項３又は４に記載の照明装置。
【請求項６】
各前記軸部材を有し、各前記面部に設けられているカバー取付部を備え、
前記照明器具は、各前記第１側面部に設けられている支持部を有し、
各前記カバー取付部は、各前記支持部に支持されている
請求項３〜５のいずれか一項に記載の照明装置。
【請求項７】
前記照明器具は、前記枠状部材を有している照明器具本体と、前記照明器具本体に設けられている設備機器と、前記照明器具本体に着脱自在に設けられ、前記設備機器を収納する設備カバーとを有し、
前記設備カバーは、前記設備機器の下に設けられている意匠面部を有し、
前記カバーは、前記光源部の下に設けられている下面部を有し、
各前記受部の各前記スリット部は、水平方向に延びており、前記第１スリットの上端に繋がっている第３スリットを有し、
各前記軸部材が各前記第３スリットに位置しており且つ前記設備カバーが前記照明器具本体に取り付けられているときにおいて、前記カバーの前記下面部は、前記設備カバーの前記意匠面部の上に位置している
請求項３〜５のいずれか一項に記載の照明装置。
【請求項８】
前記照明器具は、前記枠状部材の内側に設けられている本体部を有し、
前記本体部は、前記光源部を収容している凹状部を有し、
前記照明器具には、前記枠状部材よりも内側であって前記本体部よりも外側に隙間が形成されており、
前記カバーが前記光源部を収容している状態において、前記カバーの上端部は、前記隙間に挿入されている
請求項１〜７のいずれか一項に記載の照明装置。
【発明の詳細な説明】
【技術分野】
【０００１】
本発明は、照明装置に関し、特に、光源を有している照明器具と照明器具に設けられているカバーとを備えている照明装置に関するものである。
【背景技術】
【０００２】
従来の照明装置には、矩形状の照明器具と、照明器具に設けられているソケットと、ソケットに取り付けられている蛍光灯と、照明器具に設けられ、蛍光灯を収容している樹脂製のカバーとを備えているものが提案されている（例えば、特許文献１参照）。
【先行技術文献】
【特許文献】
【０００３】
【特許文献１】実開昭５６−１４３７２０号公報
【発明の概要】
【発明が解決しようとする課題】
【０００４】
特許文献１の照明装置の蛍光灯を交換する等のメンテナンス作業を実施する場合において、作業者はカバーを照明器具から取り外す必要がある。このため、特許文献１の照明装置には、照明装置のメンテナンス作業における作業者の負担を増大させてしまう、という課題がある。
【０００５】
本発明は、上記のような課題を解決するためになされたもので、カバーの開放を要するメンテナンス作業の負担を抑制することができる照明装置を提供することを目的としている。
【課題を解決するための手段】
【０００６】
本発明に係る照明装置は、光源部と、枠状部材を有し、枠状部材の内側に光源部が配置されている照明器具と、枠状部材の内側に設けられ、光源部を収容し、光が透過するカバーと、を備え、カバーは、照明器具に回動自在に保持されている。
【発明の効果】
【０００７】
本発明によれば、カバーが照明器具に回動自在に保持されているので、作業者がカバーを回動して光源部を露出させたとしても、カバーは照明器具に保持されている。したがって、本発明によれば、カバーの開放を要するメンテナンス作業の際に、カバーを照明器具から取り外さなくてもよくなるため、カバーの開放を要するメンテナンス作業の負担を抑制することができる。
【図面の簡単な説明】
【０００８】
【図１】実施の形態１に係る照明装置１の斜視図である。
【図２】実施の形態１に係る照明装置１を分解した状態を下側から示す斜視図である。
【図３】実施の形態１に係る照明装置１を分解した状態を上側から示す斜視図である。
【図４】実施の形態１に係る照明装置１の照明器具１０及びカバー３０の断面図である。
【図５】実施の形態１に係る照明装置１の照明器具１０の下面図である。
【図６】図５に示す照明器具１０にカバー３０を取り付けた状態を示す下面図である。
【図７】実施の形態１に係る照明装置１のカバー３０等を示す斜視図である。
【図８】図７に示すカバー３０等を分解した状態を示す斜視図である。
【図９】図８に示す破線部分の拡大図である。
【図１０】被支持部カバー３３１ａ及び引掛部３３１ｂから固定板３３１ｄを外した状態を示す斜視図である。
【図１１】受部１１４の斜視図である。
【図１２】被支持部３３１によって固定部材３３２が隠れる様子を説明する図である。
【図１３】軸部材３３１ｃが受部１１４のスリットＳｒ１の上端に位置している状態の照明装置１を示している。
【図１４】軸部材３３１ｃが受部１１４のスリットＳｒ１の下端に位置している状態の照明装置１を示している。
【図１５】軸部材３３１ｃが受部１１４のスリットＳｒ２の端のうちスリットＳｒ３に繋がっている方の端に位置している状態の照明装置１を示している。
【図１６】実施の形態２に係る照明装置１０００の斜視図である。
【図１７】実施の形態２に係る照明装置１０００を分解した状態を下側から示す斜視図である。
【図１８】実施の形態２に係る照明装置１０００を分解した状態を上側から示す斜視図である。
【図１９】受部１１１４の斜視図である。
【図２０】被支持部１３３１等を示す斜視図である。
【図２１】軸部材１３３１ｃがスリットＳｒ１０の終端に位置している状態の照明装置１０００を示している。
【図２２】軸部材１３３１ｃがスリットＳｒ１０の終端に位置している状態を示す図である。
【図２３】軸部材１３３１ｃがスリットＳｒ１１の上端に位置している状態の照明装置１０００を示している。
【図２４】軸部材１３３１ｃがスリットＳｒ１１の下端に位置している状態の照明装置１０００を示している。
【図２５】軸部材１３３１ｃがスリットＳｒ１１の下端に位置している状態を示す図である。
【図２６】軸部材１３３１ｃがスリットＳｒ１２の端のうちスリットＳｒ１３に繋がっている方の端に位置している状態の照明装置１０００を示している。
【図２７】軸部材１３３１ｃがスリットＳｒ１２の端のうちスリットＳｒ１３に繋がっている方の端に位置している状態を示す図である。
【図２８】カバー取付部１３３０等の変形例を示す斜視図である。
【発明を実施するための形態】
【０００９】
実施の形態１．
以下、図面を適宜参照しながら実施の形態について説明する。なお、図１を含め、以下の図面では各構成部材の大きさの関係が実際のものとは異なる場合がある。
【００１０】
＜実施の形態１の構成＞
図１は、実施の形態１に係る照明装置１の斜視図である。図２は、実施の形態１に係る照明装置１を分解した状態を下側から示す斜視図である。図３は、実施の形態１に係る照明装置１を分解した状態を上側から示す斜視図である。図４は、実施の形態１に係る照明装置１の照明器具１０及びカバー３０の断面図である。図５は、実施の形態１に係る照明装置１の照明器具１０の下面図である。図６は、図５に示す照明器具１０にカバー３０を取り付けた状態を示す下面図である。なお、図４〜図６において、光源ユニット２０は本体部１２０から取り外されている。また、図４は、図６に示すＡ−Ａ断面を示している。図５において、カバー３０は照明器具１０から取り外されている。
【００１１】
図１〜図３に示すように、照明装置１は、矩形状の枠状部材１１０Ａ等を有する照明器具１０と、照明器具１０に着脱自在に設けられている光源ユニット２０と、光源ユニット２０を収容し、光が透過するカバー３０とを備えている。また、図３及び図４に示すように、照明装置１は、カバー３０を照明器具１０に取り付けているカバー取付部３３０と、カバー３０に取り付けられた長尺状の補強部材３４０とを備えている。更に、図中のＸ方向は照明装置１の短手方向であり、Ｙ方向は照明装置１の長手方向であり、Ｚ１方向は上方向であり、Ｚ２方向は下方向である。また、Ｘ方向及びＹ方向は水平面に平行である。
【００１２】
図１〜図３に示すように、照明器具１０は、照明装置１の外郭を構成している照明器具本体１１０と、照明器具本体１１０に固定され、カバー３０を支持する支持部１１３と、照明器具本体１１０に固定されている受部１１４と、光源ユニット２０を収容する凹状部１２１が形成されている本体部１２０と、を備えている。
【００１３】
照明器具本体１１０は、本体部１２０を囲み、照明装置１の側面外郭を構成している枠状部材１１０Ａと、本体部１２０の上側に設けられている天面部材１１０Ｂとを備えている。枠状部材１１０Ａは、互いに平行な一対の側面部１１１と、互いに平行な一対の側面部１１２とを有する矩形状の金属製の枠体である。枠状部材１１０Ａの内側には光源ユニット２０、カバー３０及び本体部１２０等が配置されている。天面部材１１０Ｂは、矩形状の金属製の板状部材である。天面部材１１０Ｂの下側には、支持部１１３、受部１１４及び本体部１２０等が配置されている。側面部１１１は、Ｙ方向に平行に設けられている板状部材である。図４に示すように、側面部１１１の下部には、カバー３０に沿って設けられ、照明器具１０の内部構造を隠している意匠面部１１１Ａが形成されている。側面部１１２はＸ方向に平行に設けられている板状部材である。側面部１１２には支持部１１３及び受部１１４がＸ方向に並んで設けられている。図５に示すように、照明器具１０にはカバー３０等が挿入される隙間１１が形成されている。隙間１１は、Ｘ−Ｙ面内において、枠状部材１１０Ａよりも内側であって本体部１２０よりも外側に形成されている。隙間１１は、側面部１１１と本体部１２０との間に形成され、Ｙ方向に延びる隙間１１Ａと、支持部１１３と本体部１２０との間に形成され、Ｘ方向に延びる隙間１１Ｂとを含んでいる。カバー３０が光源ユニット２０を収容している状態において、隙間１１Ａ及び隙間１１Ｂにはカバー３０の上端部が挿入される。また、カバー３０が光源ユニット２０を収容している状態において、隙間１１Ａには補強部材３４０も挿入される。側面部１１２は第１側面部に対応し、側面部１１１は第２側面部に対応する。
【００１４】
支持部１１３は側面部１１２及び天面部材１１０Ｂに固定されている。支持部１１３には、後述の図１１及び図１４に示す固定部材３３２が締結される。これにより、支持部１１３はカバー取付部３３０及びカバー３０を支持する。図２及び図５に示すように、支持部１１３は、本体部１２０との間に隙間１１Ｂをあけて設けられている板状部１１３Ａと、カバー取付部３３０が取り付けられる締結面部１１３Ｂと、天面部材１１０Ｂに固定されている第１固定面部１１３Ｃとを備えている。板状部１１３Ａの上端部は第１固定面部１１３Ｃに繋がっており、板状部１１３Ａの下端部は締結面部１１３Ｂに繋がっている。また、後述の図１３〜図１５に示すように、支持部１１３は、側面部１１２に固定されている第２固定面部１１３Ｄを備えている。第２固定面部１１３Ｄの下端部は、締結面部１１３Ｂの端部のうち、Ｘ方向に平行であって側面部１１２に近い方の端部に繋がっている。受部１１４の構成は、図１１で詳しく説明する。
【００１５】
本体部１２０は、光源ユニット２０を収容する凹状部１２１と、凹状部１２１に設けられ、光源ユニット２０を着脱自在に保持するバネ部１２２と、図示省略の電源線が取り付けられる端子台１２３とを備えている。また、図３及び図５に示すように、天面部材１１０Ｂには、照明装置１を建物等に固定する吊りボルトが挿入される固定孔１２４と、電源線を通す電源線孔１２５とが形成されている。本体部１２０にも、固定孔１２４と電源線孔１２５とが形成されている。
【００１６】
図２及び図３に示すように、光源ユニット２０は、長尺状の光源カバー２１と、バネ部１２２に保持されるバネ受部２２と、端子台１２３に電気的に接続される点灯装置２３と、光源カバー２１等が取り付けられている長尺状のフレーム２４とを備えている。また、光源ユニット２０は、図示を省略しているが、光源としてのＬＥＤ（Light Emitting Diode）と、ＬＥＤが実装されている回路基板とを備えている。ＬＥＤ及び回路基板は、光源カバー２１とフレーム２４との間に収容されている。フレーム２４の下面には回路基板が固定され、フレーム２４の上面には点灯装置２３が固定されている。バネ受部２２はフレーム２４の上面に設けられている。光源ユニット２０は光源部に対応する。なお、実施の形態１において照明装置１が光源ユニット２０を備えている形態を一例に説明したがそれに限定されるものではなく、照明装置１が光源ユニット２０の代わりに蛍光灯を備えている形態であってもよい。
【００１７】
カバー３０は光が透過する樹脂製部材である。カバー３０は、照明器具１０に回動自在に保持されている。図１〜図４に示すように、カバー３０は、光源ユニット２０の下に位置している下面部３１０Ａを有する主カバー部３１０と、主カバー部３１０のＹ方向における端部に設けられている一対の面部３２０とを備えている。一対の面部３２０は互いに平行に設けられている。主カバー部３１０と面部３２０とが溶着又は接着されることで、主カバー部３１０と面部３２０とは一体になっている。主カバー部３１０は下面部３１０Ａに加えて一対の面部３１０Ｂを有している。一対の面部３１０Ｂは互いに平行に設けられている。面部３１０Ｂは、面部３１０Ｂの端部のうちＹ方向に平行な端部に繋がっている。面部３２０の上端部は隙間１１Ｂに挿入され、面部３１０Ｂの上端部は隙間１１Ａに挿入される。カバー取付部３３０の構成及び補強部材３４０の構成は、図７〜図１１で詳しく説明する。
【００１８】
図７は、実施の形態１に係る照明装置１のカバー３０等を示す斜視図である。図８は、図７に示すカバー３０等を分解した状態を示す斜視図である。図９は、図８に示す破線部分の拡大図である。図１０は、被支持部カバー３３１ａ及び引掛部３３１ｂから固定板３３１ｄを外した状態を示す斜視図である。図１１は、受部１１４の斜視図である。図７〜図１１及び上述した図２、５を参照し、照明装置１の構成を説明する。
【００１９】
図７に示すように、各面部３２０にはカバー取付部３３０が設けられている。つまり、照明装置１は一対のカバー取付部３３０を備えている。カバー取付部３３０は、枠状部材１１０Ａの内側に配置されている。図２、図５及び図９に示すように、カバー取付部３３０は、支持部１１３によって支持される金属製の被支持部３３１と、支持部１１３の締結面部１１３Ｂに締結され、被支持部３３１を支持部１１３に固定する固定部材３３２とを備えている。１つのカバー取付部３３０には２つの固定部材３３２が設けられている。また、カバー取付部３３０は、被支持部３３１を面部３２０に固定する固定部材３３３ａと、被支持部３３１を面部３２０に固定する固定部材３３３ｂとを備えている。図９に示すように、固定部材３３３ａは、被支持部３３１の孔部３３１ｂ０と、面部３２０の孔部３２０ａとに挿入される。固定部材３３３ｂも孔部３３１ｂ０と孔部３２０ａとに挿入される。固定部材３３２、固定部材３３３ａ及び固定部材３３３ｂは、ネジ及びワッシャー等で構成される。
【００２０】
図９及び図１０に示すように、被支持部３３１は、ドライバー等の工具を挿入する操作孔３３１ａ１が形成されている板状の被支持部カバー３３１ａと、カバー３０の面部３２０に固定されている板状の引掛部３３１ｂと、引掛部３３１ｂに設けられている軸部材３３１ｃと、固定部材３３２が挿入され、支持部１１３の締結面部１１３Ｂに固定される板状の固定板３３１ｄとを備えている。
【００２１】
被支持部カバー３３１ａ及び引掛部３３１ｂは金属製の板材を曲げ加工等することで形成される。被支持部カバー３３１ａは固定板３３１ｄの下に設けられている。固定部材３３２は被支持部カバー３３１ａによって隠されているが、固定部材３３２は操作孔３３１ａ１において露出している。引掛部３３１ｂは、一対の側面部１１１のうちの一方の側面部１１１側に設けられている端部３３１ｂ１と、一対の側面部１１１のうちの他方の側面部１１１側に設けられている端部３３１ｂ２と、上端部に設けられている軸固定部３３１ｂ３とを備えている。ここで、引掛部３３１ｂは軽量化のために長方形になっていない。つまり、引掛部３３１ｂの端部３３１ｂ１側よりも引掛部３３１ｂの端部３３１ｂ２側の方が、Ｚ１方向の幅が小さくなっている。軸固定部３３１ｂ３は、端部３３１ｂ１よりも上に位置しており、軸固定部３３１ｂ３には軸部材３３１ｃが固定されている。軸部材３３１ｃはカバー３０が回動するときの軸となる構成である。つまり、照明装置１が軸部材３３１ｃを備えることで、カバー３０は照明器具１０に回動自在に保持される。図９及び図１０に示すように、固定板３３１ｄは、支持部１１３の締結面部１１３Ｂに固定される固定面部３３１ｄ１と、被支持部カバー３３１ａに固定される固定面部３３１ｄ２と、引掛部３３１ｂに固定される固定面部３３１ｄ３とを備えている。なお、固定面部３３１ｄ２と被支持部カバー３３１ａとを固定する固定部材、及び、固定面部３３１ｄ３と引掛部３３１ｂとを固定する固定部材は、図示を省略しているが、ネジを採用することができる。
【００２２】
図１１に示すように、受部１１４は、軸部材３３１ｃが挿入されるスリット部１１４ａを有するスリット形成面部１１４Ａと、天面部材１１０Ｂに固定される固定面部１１４Ｂと、側面部１１１に固定される固定面部１１４Ｃとを備えている。スリット部１１４ａは、上下に延びているスリットＳｒ１と、スリットＳｒ１の下端に繋がっているスリットＳｒ２と、スリットＳｒ２の端のうちスリットＳｒ１に繋がっていない方の端に繋がっているスリットＳｒ３と、スリットＳｒ３の上端に繋がっているスリットＳｒ４とを含んでいる。スリットＳｒ１はＺ２方向に平行に延びている。スリットＳｒ２は、一方の側面部１１１側から他方の側面部１１１側へ延びている。スリットＳｒ２は水平方向、すなわちＸ方向に平行に延びている。スリットＳｒ３はＺ１方向に平行に延びている。スリットＳｒ４はＸ方向に平行に延びている。スリットＳｒ１は第１スリットに対応し、スリットＳｒ２は第２スリットに対応している。固定面部１１４Ｂには天面部材１１０Ｂに締結されるネジが挿入される孔部１１４Ｂ１が形成されている。固定面部１１４Ｃには側面部１１１に締結されるネジが挿入される孔部１１４Ｃ１が形成されている。
【００２３】
図７〜図９に示すように、主カバー部３１０の各面部３１０Ｂには補強部材３４０が設けられている。つまり、照明装置１は一対の補強部材３４０を備えている。補強部材３４０は樹脂製であってもよいし、金属製であってもよい。補強部材３４０はカバー３０を構成する樹脂よりも熱膨張しにくい樹脂で構成するとよい。面部３１０Ｂには、補強部材３４０を面部３１０Ｂに固定する固定部材３４０ａが挿入される孔部３１０Ｂ１が形成されている。図９に示すように、補強部材３４０はカバー３０の内面Ｓｒｆ１に設けられ、カバー取付部３３０はカバー３０の外面Ｓｒｆ２に設けられている。補強部材３４０は、面部３１０Ｂに固定される固定面部３４０Ａと、固定面部３４０Ａの上端及び固定面部３４０Ａの下端に形成されているリブ部３４０Ｂとを備えている。図９に示すように、固定面部３４０Ａには固定部材３４０ａが締結される孔部３４０Ａ１が形成されている。また、図８及び図９に示すように、補強部材３４０は、一対の面部３２０のうちの一方の面部３２０側に設けられている端部３４０Ｃと、一対の面部３２０のうちの他方の面部３２０側に設けられている端部３４０Ｄとを備えている。端部３４０Ｃには固定部材３３３ａが締結されている。つまり、面部３２０は補強部材３４０の端部３４０Ｃと被支持部３３１との間に挟まれている。また、固定部材３３３ａは、被支持部３３１の孔部３３１ｂ０及び面部３２０の孔部３２０ａに挿入されるとともに、補強部材３４０の端部３４０Ｃに締結されている。端部３４０Ｄも端部３４０Ｃと同様の構成である。つまり、端部３４０Ｄには固定部材３３３ａが締結されている。面部３２０は補強部材３４０の端部３４０Ｄと被支持部３３１との間に挟まれている。また、固定部材３３３ａは、被支持部３３１の孔部３３１ｂ０及び面部３２０の孔部３２０ａに挿入されるとともに、補強部材３４０の端部３４０Ｄに締結されている。このように、補強部材３４０は、固定部材３３３ａによって被支持部３３１に連結されている。
【００２４】
図１２は、被支持部３３１によって固定部材３３２が隠れる様子を説明する図である。固定部材３３２の頭部は、被支持部カバー３３１ａと固定板３３１ｄとの間に形成される空間ＳＰに配置されている。なお、固定部材３３２の頭部にはドライバー等の工具を差し込む溝が形成されている。固定部材３３２の頭部が被支持部カバー３３１ａによって保護されるため、固定部材３３２は破損しにくくなっている。また、照明装置１のメンテナンスの作業者以外の者によって、カバー３０が意に反して取り外されてしまうことを回避することができる。
【００２５】
＜実施の形態１の動作＞
実施の形態１の動作を図１３〜図１５と上述した図１１とを参照して説明する。図１３は、軸部材３３１ｃが受部１１４のスリットＳｒ１の上端に位置している状態の照明装置１を示している。図１３に示す状態において、軸部材３３１ｃはスリットＳｒ１の上端に位置している。図１３に示す状態において、支持部１１３がカバー取付部３３０及びカバー３０を保持しており、受部１１４はカバー取付部３３０及びカバー３０を保持していない。また、図１３に示す状態において、カバー３０は、一対の側面部１１１のうちの一方の側面部１１１と、一対の側面部１１１のうちの他方の側面部１１１との間に配置されている。
【００２６】
図１４は、軸部材３３１ｃが受部１１４のスリットＳｒ１の下端に位置している状態の照明装置１を示している。図１４は、図１３に示す照明装置１の固定部材３３２の締結を解除した状態を示している。固定部材３３２の締結を解除することで、軸部材３３１ｃはスリットＳｒ１を移動自在になる。図１４に示す状態において、受部１１４のスリット部１１４ａはカバー取付部３３０及びカバー３０を保持している。このため、照明装置１の固定部材３３２の締結を解除しても、カバー３０が照明器具１０から脱落することがない。また、図１４に示す状態において、カバー３０は、一対の側面部１１１よりも下側に配置されている。したがって、図１４に示す状態において、カバー３０をＸ方向に平行に移動させても、カバー３０の面部３１０Ｂが側面部１１１の意匠面部１１１Ａに干渉してしまうことを回避できる。ここで、図１４に示す状態においてカバー３０を回動させようとすると、面部３１０Ｂと意匠面部１１１Ａとが干渉することはないが、カバー取付部３３０の端部３３１ｂ２と意匠面部１１１Ａとが干渉してしまう。このため、図１４に示す状態においてカバー３０を回動させることはできない。
【００２７】
図１５は、軸部材３３１ｃが受部１１４のスリットＳｒ２の端のうちスリットＳｒ３に繋がっている方の端に位置している状態の照明装置１を示している。図１５は、図１４に示す軸部材３３１ｃをＸ方向とは逆方向にスライド移動させた状態を示している。軸部材３３１ｃをＸ方向とは逆方向にスライド移動させることで、カバー取付部３３０の端部３３１ｂ２と意匠面部１１１Ａとの間のＸ方向の間隔が広がる。その結果、図１５に示す状態のように、カバー３０を回動させることができるようになる。そして、カバー３０を回動させることで光源ユニット２０を露出させることができる。なお、カバー３０で光源ユニット２０を収容する場合には、図１３〜図１５で説明してきた動作を逆の順番で行えばよい。また、カバー３０を照明器具１０から取り外す場合には、軸部材３３１ｃをスリットＳｒ３及びスリットＳｒ４の順番で移動させる。これにより、軸部材３３１ｃがスリット部１１４ａから外れ、カバー３０を照明器具１０から外すことができる。
【００２８】
＜実施の形態１の効果＞
次に実施の形態１の効果について説明する。カバー３０は、照明器具１０に回動自在に保持されている。このため、照明装置１のメンテナンス作業を行うときにおいて、作業者がカバー３０を回動させて光源ユニット２０を露出させても、カバー３０が照明器具１０から脱落することがない。つまり、作業者はカバー３０を照明器具１０から取り外さなくても光源ユニット２０の着脱等のメンテナンス作業をすることができる。したがって、照明装置１はカバー３０の開放を要するメンテナンス作業の負担が抑制されている。また、照明装置１は建物の天井等といった高所に設置されるため、照明装置１のメンテナンス作業時には例えば脚立が用いられる。従来の照明装置において、作業者は脚立に登って照明器具からカバーを取り外すと、作業者は脚立から降りてカバーを仮置きし、再び脚立に登って作業をすることになる。つまり、従来の照明装置ではカバーを仮置きする分、メンテナンス作業の負担が増大してしまう。照明装置１は作業者がカバー３０を回動させてもカバー３０が照明器具１０から脱落しない構成であるため、照明装置１は、カバー３０を仮置きする作業を無くすことができる分、メンテナンス作業の負担が抑制されている。
【００２９】
カバー３０の面部３２０にはカバー３０が回動するときの軸となる軸部材３３１ｃが設けられている。また、照明器具１０は、側面部１１２に設けられ、カバー３０が回動するときに軸部材３３１ｃを保持する受部１１４を有している。このように、照明装置１は軸部材３３１ｃ及び受部１１４を備えているので、作業者はカバー３０を回動させて光源ユニット２０を容易に露出させることができる。
【００３０】
受部１１４のスリット部１１４ａはスリットＳｒ１及びスリットＳｒ２を有している。ここで、図１３に示すように、軸部材３３１ｃがスリットＳｒ１の上端に位置しているときにおいて、カバー３０は一対の側面部１１１のうちの一方の側面部１１１と一対の側面部１１１のうちの他方の側面部１１１との間に配置される。このため、図１３に示す状態において、カバー３０は一方の側面部１１１と他方の側面部１１１との間の領域を覆うことができる。したがって、図１３に示す状態において、カバー３０は、光源ユニット２０及び本体部１２０の露出を回避することができ、光源ユニット２０及び本体部１２０をより確実に保護することができる。また、軸部材３３１ｃがスリットＳｒ１の上端に位置しているときにおいて、カバー３０は枠状部材１１０Ａの内側に入り込んでいる。このため、図１３に示す状態において、光源ユニット２０及び本体部１２０がカバー３０と意匠面部１１１Ａとの間から露出してしまうことを回避することができる。つまり、照明装置１の意匠性が向上する。
【００３１】
軸部材３３１ｃがスリットＳｒ１の下端にスライド移動すると、カバー３０が、スライド移動の分だけ照明器具１０から離間する。つまり、軸部材３３１ｃがスリットＳｒ１の下端に位置しているときにおいて、カバー３０は、側面部１１１よりも下側に配置される。このため、図１４に示すように軸部材３３１ｃがスリットＳｒ１の下端にスライド移動することで、カバー３０を動かしたときにおいてカバー３０と意匠面部１１１Ａとが干渉しにくくなる。更に、図１５に示すように軸部材３３１ｃが受部１１４のスリットＳｒ２の端のうちスリットＳｒ３に繋がっている方の端にスライド移動することで、カバー３０を動かしたときにおいてカバー取付部３３０の端部３３１ｂ２と意匠面部１１１Ａとが干渉しにくくなる。このように、照明装置１は軸部材３３１ｃをスライド移動させる構成を有しているので、照明装置１は光源ユニット２０及び本体部１２０をより確実に保護する効果と意匠性が向上する効果とを有するだけでなく、カバー３０を動かしたときにおいてカバー３０と照明器具１０との干渉及びカバー取付部３３０と照明器具１０との干渉を抑制できる効果を有する。
【００３２】
なお、スリット部１１４ａはスリットＳｒ２を有していなくても、カバー取付部３３０の形状を変更することでカバー３０を回動させることができる。具体的には、図１４に示す状態において、端部３３１ｂ２が意匠面部１１１Ａと干渉しないように端部３３１ｂ２が例えば凹形状を有しているとよい。これにより、図１４に示す状態においてカバー３０を回動させても、端部３３１ｂ２が意匠面部１１１Ａと干渉することを回避することができる。
【００３３】
照明装置１のカバー取付部３３０は支持部１１３に支持されている。このため、図１３に示す状態において、カバー３０が下に移動してしまうことを防止することができる。
【００３４】
照明器具１０には、枠状部材１１０Ａよりも内側であって本体部１２０よりも外側に隙間１１が形成されている。また、カバー３０が光源ユニット２０を収容している状態において、カバー３０の上端部は隙間１１に挿入されている。カバー３０の上端部が隙間１１に挿入される分、カバー３０は照明器具１０に深く入り込む。このため、カバー３０はより確実に光源ユニット２０及び本体部１２０を収容することができ、照明装置１は光源ユニット２０及び本体部１２０をより確実に保護することができる。また、カバー３０の上端部が隙間１１に挿入されるので隙間１１がカバー３０によって埋められる。このため、隙間１１を介して照明装置１の内部構造が露出してしまうことを回避することができる。つまり、照明装置１の意匠性が向上する。
【００３５】
カバー３０とは別部材の金属製の被支持部３３１が照明器具１０に保持されている。このため、カバー３０等が振動したときには、金属製の被支持部３３１が照明器具１０と摺動することになる。被支持部３３１は樹脂製ではなく金属製であるため破壊しにくく、被支持部３３１は照明器具１０と摺動しても破損しにくい。
【００３６】
補強部材３４０はカバー３０の内面Ｓｒｆ１に設けられているので、カバー３０が照明器具１０に取り付けられている状態において、補強部材３４０はカバー３０によって見えにくくなっている。このため、照明装置１の意匠性が向上する。
【００３７】
補強部材３４０は被支持部３３１に連結されている。その結果、補強部材３４０と被支持部３３１とが支え合うことになり、カバー３０に振動等が加わっても、カバー３０の破損が抑制される。例えば面部３２０に投射物が当たって面部３２０が変位しようとする場合において、面部３２０の被支持部３３１は補強部材３４０と連結しているので、面部３２０の変位が補強部材３４０により妨げられ、カバー３０の破損が抑制される。また、例えば面部３１０Ｂに投射物が当たって面部３２０が変位等しようとする場合において、面部３１０Ｂの補強部材３４０は被支持部３３１と連結しているので、面部３１０Ｂの変位等が被支持部３３１により妨げられ、カバー３０の破損が抑制される。また、カバー３０が熱収縮しようとしても面部３２０の変位及び面部３１０Ｂの変位が妨げられ、その結果、カバー３０の熱収縮が抑制される。
【００３８】
面部３２０は補強部材３４０と被支持部３３１との間に挟まれている。つまり、補強部材３４０の一部と被支持部３３１の一部とは面部３２０を介して向かい合うことになる。その結果、補強部材３４０と被支持部３３１とが支え合う効果が更に高まる。つまり、カバー３０に振動等が加わっても、カバー３０の破損が更に抑制される。例えば面部３２０に投射物が当たって面部３２０がＹ方向に変位しようとする場合において、面部３２０とともに被支持部３３１もＹ方向に変位しようとする。このとき、補強部材３４０の一部と被支持部３３１の一部とは面部３２０を介して向かい合っているので、被支持部３３１がＹ方向に変位しようとすると、被支持部３３１は面部３２０を介して補強部材３４０に押し返され、Ｙ方向の変位がより妨げられる。その結果、カバー３０の破損がより抑制される。また、例えば面部３１０Ｂに投射物が当たって面部３１０ＢがＹ方向に変位しようとする場合において、面部３１０Ｂとともに補強部材３４０もＹ方向に変位しようとする。このとき、補強部材３４０の一部と被支持部３３１の一部とは面部３２０を介して向かい合っているので、補強部材３４０がＹ方向に変位しようとすると、補強部材３４０は面部３２０を介して被支持部３３１に押し返され、Ｙ方向の変位がより妨げられる。その結果、カバー３０の破損がより抑制される。また、カバー３０が熱収縮しようとしても面部３２０の変位及び面部３１０Ｂの変位がより妨げられ、その結果、カバー３０の熱収縮がより抑制される。
【００３９】
各補強部材３４０の端部３４０Ｃは一対の面部３２０のうちの一方の面部３２０の被支持部３３１に連結されている。また、各補強部材３４０の端部３４０Ｄは一対の面部３２０のうちの他方の面部３２０の被支持部３３１に連結されている。このため、図３に示すように、一対の補強部材３４０及び一対の被支持部３３１を合わせた形状は環状をなしている。このため、カバー３０の破損が抑制される効果及びカバー３０の熱収縮が抑制される効果が、カバー３０の周方向でばらついてしまうことを抑制することができる。
【００４０】
被支持部３３１は枠状部材１１０Ａの内側に配置されている。このため、被支持部３３１が露出しにくくなり、照明装置１の意匠性が向上する。
【００４１】
カバー３０は一体成型された樹脂製部材ではなく、面部３２０及び主カバー部３１０は別々に成型された樹脂製部材である。そして、面部３２０と主カバー部３１０とは溶着又は接着されて固定される。このため、カバー３０が補強部材３４０を備えていなければ、その分、面部３２０と主カバー部３１０との溶着部分又は接着部分は剥がれてしまいやすくなる。しかし、照明装置１は補強部材３４０を備えている。それに加えて、面部３２０は補強部材３４０と被支持部３３１との間に挟まれており、且つ、補強部材３４０は被支持部３３１に連結されている。このため、照明装置１に振動等が加わった場合及びカバー３０が熱収縮する場合において、上述のように面部３２０等の変位が抑制される。したがって、面部３２０と主カバー部３１０との溶着部分又は接着部分の剥がれが抑制される。
【００４２】
実施の形態２．
実施の形態２では、実施の形態１と共通する部分は同一の符号を付して説明を省略し、実施の形態１との相違点を中心に説明する。
【００４３】
＜実施の形態２の構成＞
図１６は、実施の形態２に係る照明装置１０００の斜視図である。図１７は、実施の形態２に係る照明装置１０００を分解した状態を下側から示す斜視図である。図１８は、実施の形態２に係る照明装置１０００を分解した状態を上側から示す斜視図である。なお、図１８において、光源ユニット１０２０は図示を省略している。実施の形態２に係る照明装置１０００は、複数の光源ユニット１０２０と、スピーカを有している設備機器１１３０と、設備機器１１３０を収納する設備カバー１４００とを備えた形態である。なお、設備機器１１３０は、スピーカの他に、カメラ及び無線装置等を有していてもよい。
【００４４】
照明装置１０００は、２つの枠状部材１１１０Ａを有する照明器具１０１０と、照明器具１０１０に着脱自在に設けられている２つの光源ユニット１０２０と、各光源ユニット１０２０を収容し、各枠状部材１１１０Ａの内側に設けられているカバー１０３０とを備えている。また、照明装置１０００は、各カバー１０３０を照明器具１０１０に取り付けているカバー取付部１３３０と、各カバー１０３０に取り付けられた長尺状の補強部材１３４０とを備えている。
【００４５】
照明器具１０１０は、２つの枠状部材１１１０Ａを有する照明器具本体１１１０と、照明器具本体１１１０に固定されている受部１１１４と、各枠状部材１１１０Ａの内側に設けられている本体部１１２０と、上述の設備機器１１３０と、上述の設備カバー１４００とを備えている。枠状部材１１１０Ａは、互いに平行な一対の側面部１１１１と、側面部１１１２と、側面部１１１２に平行な側面部１４１０とを有する矩形状の金属製の枠体である。側面部１１１１及び側面部１１１２は照明装置１０００の側面外郭を構成している。側面部１４１０は、設備機器１１３０と本体部１１２０との間に設けられている。側面部１１１１には受部１１１４が設けられている。側面部１１１１と本体部１１２０との間には隙間１１１１Ａが形成されている。側面部１１１２と本体部１１２０との間には隙間１１１１Ｂが形成されている。受部１１１４は各枠状部材１１１０Ａに２つずつ設けられている。つまり、照明装置１０００は４つの受部１１１４を備えている。本体部１１２０は光源ユニット１０２０を収容する凹状部１１２１と、光源ユニット１０２０を着脱自在に保持するバネ部１１２２とを備えている。また、２つの本体部１１２０のうちの一方は端子台１１２３を備えている。設備機器１１３０は照明器具本体１１１０に設けられている。設備機器１１３０は一方の側面部１４１０と他方の側面部１４１０との間に設けられている。設備カバー１４００は設備機器１１３０の下に設けられている平板状の意匠面部１４００Ａを備えている。意匠面部１４００Ａには設備機器１１３０のスピーカの音波を通す孔部１４００ａが形成されている。意匠面部１４００Ａはネジによって側面部１４１０に固定される。図１７及び図１８に示すように、設備カバー１４００が側面部１４１０に取り付けられている状態において、カバー１０３０の下面部１３１０Ａは、設備カバー１４００の意匠面部１４００Ａの上面１４００Ｂの上に位置している。側面部１１１１は第１側面部に対応し、側面部１１１２及び側面部１４１０は第２側面部に対応する。
【００４６】
光源ユニット１０２０は、長尺状の光源カバー１０２１を備えている。光源ユニット１０２０の構成は光源ユニット２０と同様である。つまり、光源ユニット１０２０は、図示は省略しているが、点灯装置、フレーム、光源及び回路基板を備えている。
【００４７】
カバー１０３０は照明器具１０１０に回動自在に保持されている。カバー１０３０は、下面部１３１０Ａ及び互いに向かい合う一対の面部１３１０Ｂを有する主カバー部１３１０と、主カバー部１３１０に溶着又は接着されている面部１３２０とを備えている。一対の面部１３１０Ｂは互いに平行である。なお、カバー１０３０の面部１３２０は対をなしていない。つまり、カバー１０３０は側面部１１１２側に設けられている面部１３２０を備えているが、カバー１０３０は設備機器１１３０側が解放されている。面部１３１０Ｂにはネジが挿入される孔部１３１０Ｂ１が形成されている。面部１３２０には、補強部材１３４０をカバー１０３０に固定する固定部材が挿入される孔部１３２０Ａが形成されている。カバー１０３０が照明器具１０１０に取り付けられている状態において、面部１３１０Ｂ及び補強部材１３４０は隙間１１１１Ａに挿入され、面部１３２０は隙間１１１１Ｂに挿入されている。
【００４８】
図１９は、受部１１１４の斜視図である。図２０は、被支持部１３３１等を示す斜視図である。図１９及び図２０と、上述した図１６〜図１８とを参照し、引き続き照明装置１０００の構成を説明する。図２０に示すように、各面部１３１０Ｂにはカバー取付部１３３０が設けられている。カバー取付部１３３０は面部１３１０Ｂに固定されている。カバー取付部１３３０は棒状部の被支持部１３３１と、被支持部１３３１の上端部に設けられている軸部材１３３１ｃとを備えている。
【００４９】
図１９に示すように、受部１１１４は、軸部材１３３１ｃが挿入されるスリット部１１１４ａを有するスリット形成面部１１１４Ａと、天面部材１１１０Ｂに固定される固定面部１１１４Ｂとを備えている。また、受部１１１４は、スリット形成面部１１１４Ａの下端部に繋がっている下面部１１１４Ｃと、下面部１１１４Ｃに繋がっており、側面部１１１１に固定される固定面部１１１４Ｄとを備えている。スリット部１１１４ａは、側面部１１１２側から側面部１４１０側へ延びるスリットＳｒ１０と、スリットＳｒ１０に繋がっており、上下に延びているスリットＳｒ１１と、スリットＳｒ１１の下端に繋がっているスリットＳｒ１２とを含んでいる。また、スリット部１１１４ａは、スリットＳｒ１２の端のうちスリットＳｒ１１に繋がっていない方の端に繋がっているスリットＳｒ１３と、スリットＳｒ１３の上端に繋がっているスリットＳｒ１４とを含んでいる。スリットＳｒ１０は水平方向、すなわちＹ方向に平行に延びている。スリットＳｒ１１はＺ２方向に平行に延びている。スリットＳｒ１２は、側面部１４１０側から側面部１１１２側へ延びている。具体的には、スリットＳｒ１２はＹ方向に平行に延びている。スリットＳｒ１３はＺ１方向に平行に延びている。スリットＳｒ４はＹ方向に平行に延びている。スリットＳｒ１０は第３スリットに対応し、スリットＳｒ１１は第１スリットに対応し、スリットＳｒ１２は第２スリットに対応している。
【００５０】
図２０に示すように、主カバー部１３１０の各面部１３１０Ｂには補強部材１３４０が設けられている。補強部材１３４０はカバー１０３０の内面Ｓｒｆ１に設けられている。また、カバー取付部３３０についてもカバー１０３０の内面Ｓｒｆ１に設けられている。補強部材１３４０は、面部１３１０Ｂに固定される固定面部１３４０Ａと、固定面部１３４０Ａの上端及び固定面部１３４０Ａの下端に形成されているリブ部１３４０Ｂとを備えている。補強部材１３４０は、設備機器１１３０側に設けられている端部１３４０Ｃと、面部１３２０側に設けられている端部１３４０Ｄとを備えている。カバー取付部１３３０及び端部１３４０Ｃは、面部１３１０Ｂに固定されている。孔部１３１０Ｂ１を通る図示省略の固定部材は端部１３４０Ｃ及びカバー取付部１３３０に挿入しており、端部１３４０Ｃ及びカバー取付部１３３０は面部１３１０Ｂに固定されている。
【００５１】
＜実施の形態２の動作＞
実施の形態２の動作を図２１〜図２７を参照して説明する。図２１は、軸部材１３３１ｃがスリットＳｒ１０の終端に位置している状態の照明装置１０００を示している。図２２は、軸部材１３３１ｃがスリットＳｒ１０の終端に位置している状態を示す図である。図２１に示す状態において、照明器具１０１０には設備カバー１４００が取り付けられているため、カバー１０３０は回動しない。また、図２１に示す状態において、面部１３２０の上端は側面部１１１２に突き当たるため、カバー１０３０は回動しない。図２１に示す状態において、カバー１０３０は、側面部１１１２と側面部１４１０との間に配置されている。
【００５２】
図２３は、軸部材１３３１ｃがスリットＳｒ１１の上端に位置している状態の照明装置１０００を示している。図２３は、図２１に示す照明器具１０１０から設備カバー１４００を取り外した状態を示している。軸部材１３３１ｃは移動させていないので、軸部材１３３１ｃの位置は図２２に示す位置と同じである。
【００５３】
図２４は、軸部材１３３１ｃがスリットＳｒ１１の下端に位置している状態の照明装置１０００を示している。図２５は、軸部材１３３１ｃがスリットＳｒ１１の下端に位置している状態を示す図である。図２４は軸部材１３３１ｃをスリットＳｒ１０の終端からスリットＳｒ１１の下端までスライド移動させた状態を示している。図２４に示す状態において、受部１１１４のスリット部１１１４ａは軸部材１３３１ｃを保持している。このため、設備カバー１４００を照明器具１０１０から取り外しても、カバー１０３０が照明器具１０１０から脱落することがない。また、図２４に示す状態において、カバー１０３０は、側面部１１１２よりも下側に配置されている。したがって、図２４に示す状態において、カバー１０３０をＹ方向に平行に移動させても、カバー１０３０の面部１３２０が側面部１１１２に干渉してしまうことを回避できる。ここで、図２４に示す状態において、カバー１０３０を回動させると、面部１３１０Ｂと側面部１４１０とが干渉し、光源ユニット１０２０が露出しない。そこで、次に説明するように、軸部材１３３１ｃをスリットＳｒ１１の下端からスリットＳｒ１２の下端までスライド移動させる。
【００５４】
図２６は、軸部材１３３１ｃがスリットＳｒ１２の端のうちスリットＳｒ１３に繋がっている方の端に位置している状態の照明装置１０００を示している。図２７は、軸部材１３３１ｃがスリットＳｒ１２の端のうちスリットＳｒ１３に繋がっている方の端に位置している状態を示す図である。図２６は軸部材１３３１ｃをスリットＳｒ１１の下端からスリットＳｒ１２の下端までスライド移動させた状態を示している。軸部材１３３１ｃを図２５に示す位置から図２６に示す位置までスライド移動させたことで、面部１３１０Ｂと側面部１４１０との間のＹ方向の間隔が広がる。その結果、図２６に示す状態のように、カバー１０３０を回動させることができるようになる。そして、カバー１０３０を回動させることで光源ユニット１０２０を露出させることができる。なお、カバー１０３０を照明器具１０１０から取り外す場合には、軸部材１３３１ｃをスリットＳｒ１３及びスリットＳｒ１４の順番で移動させる。これにより、軸部材１３３１ｃがスリット部１１１４ａから外れ、カバー１０３０を照明器具１０１０から外すことができる。
【００５５】
＜実施の形態２の効果＞
次に、実施の形態２の効果について説明する。実施の形態２は実施の形態１と同様の効果を有することに加えて次の効果を有する。受部１１１４のスリット部１１１４ａはスリットＳｒ１０を有している。また、軸部材１３３１ｃがスリットＳｒ１０に位置しており且つ設備カバー１４００が照明器具本体１１１０に取り付けられているときにおいて、カバー１０３０の下面部１３１０Ａは、設備カバー１４００の意匠面部１４００Ａの上に位置している。このため、照明装置１０００を使用する状態、すなわち図２１に示す状態において、カバー１０３０を回動させようとしても、カバー１０３０が設備カバー１４００の意匠面部１４００Ａに干渉する。したがって、照明装置１０００を使用する状態において、カバー１０３０が回動して光源ユニット１０２０が露出してしまうことを回避することができる。
【００５６】
＜実施の形態２の変形例＞
図２８は、カバー取付部１３３０等の変形例を示す斜視図である。実施の形態２において、カバー取付部１３３０がカバー１０３０の内側に配置されていたがそれに限定されるものではない。カバー取付部１３３０はカバー１０３０の外側に配置されていてもよい。面部１３１０Ｂは、補強部材１３４０の端部１３４０Ｃとカバー取付部１３３０の被支持部１３３１との間に挟まれている。図示省略の固定部材が被支持部１３３１、面部１３１０Ｂ及び端部１３４０Ｃに挿入されることで、被支持部１３３１はカバー１０３０の外面Ｓｒｆ２に固定され、端部１３４０Ｃはカバー１０３０の内面Ｓｒｆ１に固定される。なお、本変形例のようにカバー取付部１３３０がカバー１０３０の外側に配置されている場合には、隙間１１１１ＡのＸ方向の寸法を大きくすることで、異なる部材同士の干渉、例えばカバー１０３０と本体部１１２０との干渉を回避することができる。
【符号の説明】
【００５７】
１  照明装置、１０  照明器具、１１  隙間、１１Ａ  隙間、１１Ｂ  隙間、２０  光源ユニット、２１  光源カバー、２２  バネ受部、２３  点灯装置、２４  フレーム、３０  カバー、１１０  照明器具本体、１１０Ａ  枠状部材、１１０Ｂ  天面部材、１１１  側面部、１１１Ａ  意匠面部、１１２  側面部、１１３  支持部、１１３Ａ  板状部、１１３Ｂ  締結面部、１１３Ｃ  第１固定面部、１１３Ｄ  第２固定面部、１１４  受部、１１４Ａ  スリット形成面部、１１４Ｂ  固定面部、１１４Ｂ１  孔部、１１４Ｃ  固定面部、１１４Ｃ１  孔部、１１４ａ  スリット部、１２０  本体部、１２１  凹状部、１２２  バネ部、１２３  端子台、１２４  固定孔、１２５  電源線孔、３１０  主カバー部、３１０Ａ  下面部、３１０Ｂ  面部、３１０Ｂ１  孔部、３２０  面部、３２０ａ  孔部、３３０  カバー取付部、３３１  被支持部、３３１ａ  被支持部カバー、３３１ａ１  操作孔、３３１ｂ  引掛部、３３１ｂ０  孔部、３３１ｂ１  端部、３３１ｂ２  端部、３３１ｂ３  軸固定部、３３１ｃ  軸部材、３３１ｄ  固定板、３３１ｄ１  固定面部、３３１ｄ２  固定面部、３３１ｄ３  固定面部、３３２  固定部材、３３３ａ  固定部材、３３３ｂ  固定部材、３４０  補強部材、３４０Ａ  固定面部、３４０Ａ１  孔部、３４０Ｂ  リブ部、３４０Ｃ  端部、３４０Ｄ  端部、３４０ａ  固定部材、１０００  照明装置、１０１０  照明器具、１０２０  光源ユニット、１０２１  光源カバー、１０３０  カバー、１１１０  照明器具本体、１１１０Ａ  枠状部材、１１１０Ｂ  天面部材、１１１１  側面部、１１１１Ａ  隙間、１１１１Ｂ  隙間、１１１２  側面部、１１１４  受部、１１１４Ａ  スリット形成面部、１１１４Ｂ  固定面部、１１１４Ｃ  下面部、１１１４Ｄ  固定面部、１１１４ａ  スリット部、１１２０  本体部、１１２１  凹状部、１１２２  バネ部、１１２３  端子台、１１３０  設備機器、１３１０  主カバー部、１３１０Ａ  下面部、１３１０Ｂ  面部、１３１０Ｂ１  孔部、１３２０  面部、１３２０Ａ  孔部、１３３０  カバー取付部、１３３１  被支持部、１３３１ｃ  軸部材、１３４０  補強部材、１３４０Ａ  固定面部、１３４０Ｂ  リブ部、１３４０Ｃ  端部、１３４０Ｄ  端部、１４００  設備カバー、１４００Ａ  意匠面部、１４００Ｂ  上面、１４００ａ  孔部、１４１０  側面部、ＳＰ  空間、Ｓｒ１  スリット、Ｓｒ２  スリット、Ｓｒ３  スリット、Ｓｒ４  スリット、Ｓｒ１０  スリット、Ｓｒ１１  スリット、Ｓｒ１２  スリット、Ｓｒ１３  スリット、Ｓｒ１４  スリット、Ｓｒ２  スリット、Ｓｒ３  スリット、Ｓｒ４  スリット、Ｓｒｆ１  内面、Ｓｒｆ２  外面。
【図１】
2019053903.tif 000003
【図２】
2019053903.tif 000004
【図３】
2019053903.tif 000005
【図４】
2019053903.tif 000006
【図５】
2019053903.tif 000007
【図６】
2019053903.tif 000008
【図７】
2019053903.tif 000009
【図８】
2019053903.tif 000010
【図９】
2019053903.tif 000011
【図１０】
2019053903.tif 000012
【図１１】
2019053903.tif 000013
【図１２】
2019053903.tif 000014
【図１３】
2019053903.tif 000015
【図１４】
2019053903.tif 000016
【図１５】
2019053903.tif 000017
【図１６】
2019053903.tif 000018
【図１７】
2019053903.tif 000019
【図１８】
2019053903.tif 000020
【図１９】
2019053903.tif 000021
【図２０】
2019053903.tif 000022
【図２１】
2019053903.tif 000023
【図２２】
2019053903.tif 000024
【図２３】
2019053903.tif 000025
【図２４】
2019053903.tif 000026
【図２５】
2019053903.tif 000027
【図２６】
2019053903.tif 000028
【図２７】
2019053903.tif 000029
【図２８】
2019053903.tif 000030